(57)【要約】【課題】薬品の管理を簡素化する。【解決手段】薬品ごとに添付された薬品識別情報や使用者ごとに付与された使用者識別情報を取得する識別情報取得装置および重量を計量する計量装置がネットワークを介して情報処理装置に接続されて構成される薬品管理システムであって、前記情報処理装置は、前記薬品識別情報に基づいて前記薬品を識別する薬品識別部と、識別された前記薬品の重量に基づいて当該薬品の使用状況を更新する使用状況更新部と、前記薬品の使用状況に基づいて当該薬品の使用に異常が発生したことを検知する異常検知部と、前記異常が検知された場合に、表示部に前記異常が検知されたことを通知する画面を表示させる画面表示制御部と、を含む。【選択図】図１
2019087153.tif 000002
【特許請求の範囲】
【請求項１】
薬品ごとに添付された薬品識別情報や使用者ごとに付与された使用者識別情報を取得する識別情報取得装置および重量を計量する計量装置がネットワークを介して情報処理装置に接続されて構成される薬品管理システムであって、
前記情報処理装置は、
前記薬品識別情報に基づいて前記薬品を識別する薬品識別部と、
識別された前記薬品の重量に基づいて当該薬品の使用状況を更新する使用状況更新部と、
前記薬品の使用状況に基づいて当該薬品の使用に異常が発生したことを検知する異常検知部と、
前記異常が検知された場合に、表示部に前記異常が検知されたことを通知する画面を表示させる画面表示制御部と、
を含むことを特徴とする薬品管理システム。
【請求項２】
前記異常検知部は、
前記情報処理装置が操作されることによって設定された所定の条件および前記薬品の使用状況に基づいて前記異常を検知することを特徴とする請求項１に記載の薬品管理システム。
【請求項３】
前記異常検知部は、
識別された前記薬品の重量および前記薬品の使用状況に基づいて前記異常を検知することを特徴とする請求項１または請求項２に記載の薬品管理システム。
【請求項４】
前記情報処理装置は、
前記使用者識別情報に基づいて前記使用者を識別する使用者識別部
を含み、
前記異常検知部は、
識別された前記使用者の前記使用者識別情報において前記薬品の取扱権限が付与されていない場合に、前記異常を検知することを特徴とする請求項１に記載の薬品管理システム。
【請求項５】
薬品ごとに添付された薬品識別情報や使用者ごとに付与された使用者識別情報を取得する識別情報取得装置および重量を計量する計量装置がネットワークを介して情報処理装置に接続されて構成されるシステムにおける薬品管理方法であって、
前記薬品識別情報に基づいて前記薬品を識別し、
識別された前記薬品の重量に基づいて当該薬品の使用状況を更新し、
前記薬品の使用状況に基づいて当該薬品の使用に異常が発生したことが検知された場合に、前記異常が検知されたことを通知する画面を表示部に表示させることを特徴とする薬品管理方法。
【請求項６】
薬品ごとに添付された薬品識別情報や使用者ごとに付与された使用者識別情報を取得する識別情報取得装置および重量を計量する計量装置がネットワークを介して情報処理装置に接続されて構成されるシステムにおける薬品管理プログラムであって、
前記薬品識別情報に基づいて前記薬品を識別するステップと、
識別された前記薬品の重量に基づいて当該薬品の使用状況を更新するステップと、
前記薬品の使用状況に基づいて当該薬品の使用に異常が発生したことを検知するステップと、
前記異常が検知された場合に、前記異常が検知されたことを通知する画面を表示部に表示させるステップと、
をコンピュータに実行させることを特徴とする薬品管理プログラム。
【発明の詳細な説明】
【技術分野】
【０００１】
本発明は、薬品管理システム、薬品管理方法、薬品管理プログラムに関し、特に、重量計測による薬品の管理処理に関する。
【背景技術】
【０００２】
医師の処方に応じて薬品を提供する調剤薬局や調剤部、また、薬品を用いて学術実験等を行う実験施設では、多種の薬品を取り扱っている。薬品の形状は、錠剤、粉末、顆粒、液体など多種にわたるため、従来から薬品の残量がどの程度あるかを把握することが困難であり、薬品の在庫を適正化するために、業務をより正確に、かつ、効率化するシステムの開発が行われている。
【０００３】
薬品の残量を把握するために、電子はかりによって薬品の重量を容器ごと計量し、計量結果に関する情報を記録する技術が知られている（例えば、特許文献１参照）。特許文献１には、被計量物を計量し、入出庫の態様を設定することによって、薬品を誰がいつ、どれくらいの量の出し入れを行ったかを記録する技術が開示されている。
【発明の概要】
【発明が解決しようとする課題】
【０００４】
ところで、薬品の中には、毒性の強いもの、副作用が激しいもの、習慣性や依存性を生じやすいもの等がある。これらの薬品は、薬事法やその他の関連する法律により取扱いが規制されており、薬品の在庫や廃棄に関する記録について、作成・保存する義務がある。しかし、特許文献１の技術は、薬品の残量に基づいて薬品の使用量を管理する技術であって、薬品の取扱いについては考慮されていない。
【０００５】
本発明は、このような課題を解決するためになされたものであり、薬品の管理を簡素化することを目的とする。
【課題を解決するための手段】
【０００６】
上記課題を解決するために、本発明の一態様は、薬品ごとに添付された薬品識別情報や使用者ごとに付与された使用者識別情報を取得する識別情報取得装置および重量を計量する計量装置がネットワークを介して情報処理装置に接続されて構成される薬品管理システムであって、前記情報処理装置は、前記薬品識別情報に基づいて前記薬品を識別する薬品識別部と、識別された前記薬品の重量に基づいて当該薬品の使用状況を更新する使用状況更新部と、前記薬品の使用状況に基づいて当該薬品の使用に異常が発生したことを検知する異常検知部と、前記異常が検知された場合に、表示部に前記異常が検知されたことを通知する画面を表示させる画面表示制御部と、を含むことを特徴とする。
【発明の効果】
【０００７】
本発明によれば、薬品の管理を簡素化することができる。
【図面の簡単な説明】
【０００８】
【図１】本発明の第１の実施形態に係る薬品管理システムの運用構成を示す図。
【図２】本発明の第１の実施の形態に係る情報処理装置のハードウェア構成を示す図。
【図３】本発明の第１の実施の形態に係る情報処理装置の機能構成を示す図。
【図４】本発明の第１の実施の形態に係る薬品情報管理テーブルの構成を示す図。
【図５】本発明の第１の実施の形態に係る使用者情報管理テーブルの構成を示す図。
【図６】本発明の第１の実施の形態に係る薬品使用状況管理テーブルの構成を示す図。
【図７】本発明の第１の実施の形態に係る情報処理装置の画面に表示されたＧＵＩを示す図。
【図８】本発明の第１の実施の形態に係る薬品管理システムにおける処理の流れを示すフローチャート。
【図９】本発明の第１の実施の形態に係る薬品管理システムにおいて薬品を登録する処理の流れを示すフローチャート。
【図１０】本発明の第１の実施の形態に係る情報処理装置の画面に表示されたＧＵＩを示す図。
【図１１】本発明の第１の実施の形態に係る情報処理装置の画面に表示されたＧＵＩを示す図。
【図１２】本発明の第１の実施の形態に係る情報処理装置の画面に表示されたＧＵＩを示す図。
【図１３】本発明の第１の実施の形態に係る薬品管理システムにおいて新規に使用者を登録する処理の流れを示すフローチャート。
【図１４】本発明の第１の実施の形態に係る情報処理装置の画面に表示されたＧＵＩを示す図。
【図１５】本発明の第１の実施の形態に係る情報処理装置の画面に表示されたＧＵＩを示す図。
【図１６】本発明の第１の実施の形態に係る薬品管理システムにおける薬品の出庫の処理の流れを示すフローチャート。
【図１７】本発明の第１の実施の形態に係る情報処理装置の画面に表示されたＧＵＩを示す図。
【図１８】本発明の第１の実施の形態に係る薬品管理システムにおける薬品の入庫の処理の流れを示すフローチャート。
【図１９】本発明の第１の実施の形態に係る情報処理装置の画面に表示されたＧＵＩを示す図。
【図２０】本発明の第１の実施の形態に係る薬品管理システムにおける薬品の入庫の処理の流れを示すフローチャート。
【図２１】本発明の第１の実施の形態に係る薬品管理システムにおけるアラート表示を行う処理の流れを示すフローチャート。
【図２２】本発明の第１の実施の形態に係る情報処理装置の画面に表示されたＧＵＩを示す図。
【図２３】本発明の第１の実施の形態に係る情報処理装置の画面に表示されたＧＵＩを示す図。
【図２４】本発明の第１の実施の形態に係る薬品の使用状況を示す図。
【図２５】本発明の第１の実施の形態に係る薬品の使用量と在庫量との関係を示す関係図。
【図２６】本発明の第２の実施の形態に係る薬品管理システムの運用形態を示す図。
【図２７】本発明の第２の実施の形態に係るサーバおよび情報処理装置の機能構成を示す図。
【図２８】本発明の第２の実施の形態に係る保管場所管理テーブルの構成を示す図。
【図２９】本発明の第２の実施の形態に係る発注処理の態様を示す図。
【発明を実施するための形態】
【０００９】
第１の実施形態．
以下、図面を参照して、本発明の実施形態について説明する。本実施形態においては、種類を識別するためにバーコードなどの薬品識別情報が付与された薬品の重量を計量し、計量結果に基づいて薬品の在庫を適正化するための薬品管理システムについて説明する。
【００１０】
まず、本実施形態に係る薬品管理システム１の運用構成について説明する。図１は、本実施形態に係る薬品管理システム１の運用構成を示す図である。本実施形態に係る薬品管理システム１は、コードリーダ２、電子秤３、ＰＣ（Ｐｅｒｓｏｎａｌ  Ｃｏｍｐｕｔｅｒ）などの情報処理装置４が、ネットワークを介して接続されている。
【００１１】
さらに、情報処理装置４から受信した情報に基づいて、バーコードやＱＲコード（登録商標）などの識別情報を出力するプリンタ５が含まれていてもよい。また、情報処理装置４は、ネットワークを介して接続可能なメールサーバを介して電子メールを送信する構成であってもよい。
【００１２】
本実施形態においては、薬品が保管されている瓶やパッケージに、あらかじめバーコードやＱＲコード、ＲＦＩＤ、ＩＣタグなどの薬品識別情報が添付されている。これらの薬品識別情報は、薬品の名前や種類などを識別するための情報であり、薬品を入庫する際に、それぞれの薬品ごとに付与される。また、薬品が錠剤などの場合には、薬品をまとめて保管する箱にこれらの薬品識別情報を添付する構成であってもよい。
【００１３】
また、薬品には、劇物、毒物、医療用医薬品、第一類医薬品、第二類医薬品などの種類があり、それぞれの薬品を取り扱うための規制がなされている。したがって、医療用医薬品の取り扱いができる使用者とそうではない使用者とが存在する。そこで、本実施形態では、使用者ごとに薬品の取り扱い権限を識別するための使用者識別情報を付与する。使用者識別情報は、使用者が所持している名札や身分証などにバーコードやＱＲコード、ＲＦＩＤ、ＩＣタグなどの形式を用いて添付される情報である。
【００１４】
コードリーダ２は、薬品ごとに添付された薬品識別情報や使用者ごとに付与された使用者識別情報を読み取り、情報処理装置４に送信する識別情報取得装置である。コードリーダ２は、バーコードやＱＲコードの情報を光学式マーク認識によって読み取ってもよいし、ＲＦＩＤ、ＩＣタグに記憶されている情報を取得する構成であってもよい。
【００１５】
電子秤３は、薬品が保管されている瓶や箱ごとの重量を重量センサによって計量し、計量した重量の情報を情報処理装置４に送信する計量装置である。なお、本実施形態では、最小表示が０．０１ｇの電子秤３を用いているが、最小表示が０．００１ｇの電子秤を用いてもよい。
【００１６】
プリンタ５は、情報処理装置４から受信した情報に基づいて、バーコードやＱＲコード（登録商標）などの識別情報を出力する。また、ＲＦＩＤやＩＣタグの情報を書き換えるリーダライタをプリンタ５として用いてもよい。
【００１７】
情報処理装置４は、コードリーダ２や電子秤３から受信した情報によって薬品を識別し、識別した薬品の重量の情報に基づいて薬品の使用量、使用者、使用日時などの情報を更新する。なお、本実施形態では、情報処理装置４に記憶されている各種のデータテーブルにおける薬品の使用量、使用者、使用日時などの情報に関する情報を更新して、薬品の管理を行う。
【００１８】
次に、本実施形態に係る情報処理装置４のハードウェア構成について図２を参照して説明する。図１は、本実施形態に係る情報処理装置４のハードウェア構成を示すブロック図である。情報処理装置４は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０およびＩ／Ｆ５０を備え、これらがバス８０を介して接続され、構成されている。また、Ｉ／Ｆ５０には表示部であるＬＣＤ（Ｌｉｑｕｉｄ  Ｃｒｙｓｔａｌ  Ｄｉｓｐｌａｙ）６０およびキーボードなどの操作部７０が接続されている。
【００１９】
ＣＰＵ１０は演算手段であり、情報処理装置４全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェアなどのプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラムなどが格納される。
【００２０】
Ｉ／Ｆ５０は、バス８０と各種のハードウェアやネットワークなどを接続し制御する。ＬＣＤ６０は、ユーザが情報処理装置４の状態を確認するための視覚的ユーザインタフェースである。操作部７０は、キーボードやマウスなど、ユーザが情報処理装置４に情報を入力するためのユーザインタフェースである。
【００２１】
このようなハードウェア構成において、ＲＯＭ３０に格納されたプログラムのステップや、ＨＤＤ４０もしくは光学ディスクなどの記憶媒体からＲＡＭ２０にロードされたプログラムのステップに従ってＣＰＵ１０が演算を行うことにより、ソフトウェア制御部が構成される。このようにして構成されたソフトウェア制御部と、ハードウェアとの組み合わせによって、本実施形態に係る情報処理装置４の機能を実現する機能ブロックが構成され、薬品管理方法、薬品管理プログラムが実現される。
【００２２】
次に、本実施形態に係る情報処理装置４の機能構成について、図３を参照して説明する。図３（ａ）に示すように、本実施形態に係る情報処理装置４は、通信制御部４１０、薬品情報制御部４２０、使用者情報制御部４３０、使用状況更新部４４０、条件設定部４５０、異常検知部４６０、識別情報生成部４７０、記憶部４８０、画面表示制御部４９０を含む。
【００２３】
通信制御部４１０は、コードリーダ２や電子秤３から出力された情報を受信し、情報処理装置４が接続されているネットワークを介して電子メールの送受信を行う。薬品情報制御部４２０は、図３（ｂ）に示すように、薬品識別情報に基づいて薬品を識別する薬品識別部４２１、薬品情報管理テーブル１１０に記憶されている薬品の情報を、薬品識別情報に基づいて更新する薬品情報更新部４２２を含む。また、薬品情報制御部４２０は、薬品識別部４２１が識別した薬品の薬品識別情報を含む電子メールを作成する。
【００２４】
使用者情報制御部４３０は、図３（ｃ）に示すように、使用者識別情報に基づいて使用者を識別する使用者識別部４３１を含み、また、後述する使用者情報管理テーブル１２０に記憶されている使用者の情報を使用者識別情報に基づいて更新する使用者情報更新部４３２を含む。
【００２５】
使用状況更新部４４０は、薬品情報管理テーブル１１０および使用者情報管理テーブル１２０に記憶されている情報に基づいて、薬品ごとに使用状況を管理する薬品使用状況管理テーブル１３０を更新する。
【００２６】
条件設定部４５０は、薬品管理システム１の使用者が情報処理装置４を操作して入力された項目に基づいて各種の条件を設定する。例えば、３か月間にわたる薬品の使用状況を把握したい場合、薬品管理システム１の使用者は、情報処理装置４を操作して「３か月間」の「薬品Ｐ」の使用状況を取得する条件を設定して「３か月間」の「薬品Ｐ」の使用状況に関する情報を取得することができる。
【００２７】
使用者によって指定された条件は、条件設定部４５０によって、薬品管理システム１の使用者が任意に指定した薬品の使用状況に関する情報の取得や、薬品の使用状況における異常を検知するために用いられる。
【００２８】
異常検知部４６０は、薬品使用状況管理テーブル１３０に基づいて、薬品の使用における異常が発生していないか否かを検知する。また、異常検知部４６０は、使用者識別情報および薬品識別情報に基づいて、使用者が使用権限のない薬品を取扱おうとしている場合に異常を検知する。さらに、異常検知部４６０は、薬品管理システム１の使用者が指定した条件および薬品使用状況管理テーブル１３０に基づいて、薬品の使用における異常を検知する。
【００２９】
識別情報生成部４７０は、新規の使用者を認識する使用者認識情報や、新規の薬品を認識するための薬品認識情報として、バーコードやＱＲコードの生成またはＲＦＩＤ、ＩＣタグの書替えなどを実行する。
【００３０】
記憶部４８０は、薬品情報管理テーブル１１０、使用者情報管理テーブル１２０、薬品使用状況管理テーブル１３０が記憶されている記憶領域である。画面表示制御部４９０は、ＬＣＤ６０に表示されるＧＵＩ（Ｇｒａｐｈｉｃａｌ  Ｕｓｅｒ  Ｉｎｔｅｒｆａｃｅ）などを制御する。
【００３１】
次に、記憶部４８０に記憶されている薬品情報管理テーブル１１０、使用者情報管理テーブル１２０、薬品使用状況管理テーブル１３０のそれぞれの情報構成について、図４から図６を参照して説明する。
【００３２】
図４は、本実施形態に係る薬品情報管理テーブル１１０である。薬品情報管理テーブル１１０は、図４に示すように、薬品情報として、「薬品ＩＤ」、「薬品名」、「登録日時」、「消費期限」、「総重量」、「内容量」、「取扱情報」、「メディコード」のそれぞれの情報を含んで構成されるデータテーブルである。
【００３３】
薬品ＩＤは、薬品識別情報によって示される薬品を識別するための情報であり、薬品ごとに付与される。薬品名は、薬品の名前の情報である。なお、同じ種類の薬品であっても、異なる内容量や包装態様である場合、薬品ＩＤと薬品名とを区別して薬品情報管理テーブル１１０に記憶させる。登録日時は、薬品情報管理テーブル１１０に薬品情報が登録された日時を示す情報である。
【００３４】
消費期限は、薬品の消費期限を示す情報である。総重量は、保管時のパッケージも含めた薬品の重量の情報である。内容量は、薬品のパッケージや説明書に記載されている薬品の内容量を示す情報である。取扱情報は、薬品の分類、例えば、劇毒物、医療用医薬品など、取扱いが規制されている薬品を示す情報である。また、薬品ごとに、薬品が保管されている場所や鍵などを示す情報を含んで構成されていてもよい。
【００３５】
メディコードは、薬品ごとに定められている５ケタの英数字からなる識別情報であって、医療用医薬品の標準コードとして医療機関で共通して用いられる。したがって、同一の薬品には同一のメディコードが予め定められているため、メディコードによって薬品を認識することができる。本実施形態では、薬品情報入力画面１０１０において、このメディコードを入力する。なお、薬品情報入力画面１０１０の具体的な構成については、後述する。
【００３６】
図５は、本実施形態に係る使用者情報管理テーブル１２０である。使用者情報管理テーブル１２０は、図５に示すように、使用者情報として、「使用者ＩＤ」、「取扱権限」、「発注権限」のそれぞれの情報を含んで構成されるデータテーブルである。
【００３７】
使用者ＩＤは、使用者識別情報によって示される薬品管理システム１の使用者として登録された者を識別するための情報である。取扱権限は、薬品を取り扱う権限が、薬品の種別ごとにどの薬品に与えられているかを示す情報であり、発注権限は、薬品の種別ごとに薬品を発注する権限が与えられているか否かを示す情報である。取扱権限および発注権限は、使用者情報を使用者情報管理テーブル１２０に登録する際に設定される。使用者情報を使用者情報管理テーブル１２０に登録する処理については、後述する。
【００３８】
図６は、本実施形態に係る薬品使用状況管理テーブル１３０である。薬品使用状況管理テーブル１３０は、薬品ＩＤごとに管理されるデータテーブルであって、薬品使用状況に関する情報として、「出庫日時」、「出庫時重量」、「入庫日時」、「入庫時重量」、「使用者ＩＤ」のそれぞれの情報を含んで構成されるデータテーブルである。
【００３９】
出庫日時は、薬品の出庫日時を示す情報である。出庫時重量は、出庫時に計量された薬品の重量を示す情報である。入庫日時は、薬品の入庫日時を示す情報である。入庫時重量は、入庫時に計量された薬品の重量を示す情報である。使用者ＩＤは、その薬品の出入庫を行った使用者を示すために使用される。
【００４０】
このような構成によって、本実施形態に係る薬品管理システム１は、薬品識別情報が付与された薬品の重量を計量し、計量結果に基づいて薬品の在庫を管理する。
【００４１】
次に、本実施形態に係る薬品管理システム１における処理の流れについて説明する。本実施形態では、図７に示すように、情報処理装置４の画面に表示されたＧＵＩに従ってコードリーダ２や電子秤３を操作することにより、薬品識別情報および薬品の重量の情報を取得する。
【００４２】
まず、本実施形態に係る薬品管理システム１を起動させた直後の処理の流れについて説明する。図７に示すのは、本実施形態に係る薬品管理システム１のＧＵＩである。図７および図８においては、薬品管理システム１のスタート画面から管理メニューに至るまでの処理の流れについて説明する。
【００４３】
情報処理装置４において、薬品管理システム１を起動させると、画面表示制御部４９０は、ＬＣＤ６０に、薬品管理システム１のスタート画面７０１を表示させる（Ｓ８０１）。スタート画面７０１には、使用者認証情報が添付された身分証などをコードリーダ２に認証させることを薬品管理システム１の使用者に促すダイアログ７０２が表示されている。
【００４４】
スタート画面７０１が表示されている状態で、コードリーダ２によって使用者認証情報が認識されると、通信制御部４１０はコードリーダ２から使用者認識情報を取得し、その使用者情報制御部４３０は、取得した使用者認識情報に基づいて使用者を識別する（Ｓ８０２）。なお、以後の説明においては、特段の区別がない限り、取扱権限が「１ＸＸＸＸ」、使用者ＩＤが「０００１」であって、発注権限が与えられている使用者を例とする。
【００４５】
画面表示制御部４９０は、Ｓ８０２で識別された使用者Ａの情報を使用者情報管理テーブル１２０から取得し、取得した使用者Ａの使用者識別情報に対応した画面をＬＣＤ６０に表示させる（Ｓ８０３）。したがって、Ｓ８０３では、取扱権限が「１ＸＸＸＸ」であって、発注を行うことができる業務メニュー７０３が表示される。
【００４６】
業務メニュー７０３は、管理キー７０４、出庫キー７０５、入庫キー７０６、在庫・棚卸キー７０７、発注状況キー７０８を含んで表示される。管理キー７０４は、薬品管理システム１で薬品を管理するために操作するものであり、使用者の取扱権限が「１ＸＸＸＸ」である場合に表示される。
【００４７】
出庫キー７０５は、薬品管理システム１で管理する薬品を出庫するために操作するものであり、使用者の取扱権限に関わらず表示される。入庫キー７０６は、薬品管理システム１で管理する薬品を入庫するために操作するものであり、使用者の取扱権限に関わらず表示される。
【００４８】
在庫・棚卸キー７０７は、薬品管理システム１で管理する薬品の在庫確認や棚卸をするために操作するものであり、使用者の取扱権限が「１ＸＸＸＸ」である場合に表示される。在庫・棚卸キー７０７が操作されると、薬品情報制御部４２０は、薬品管理システム１で管理している薬品の一覧を、画面表示制御部４９０を介してＬＣＤ６０に表示させる。なお、薬品の一覧の表示態様については、後述する。発注状況キー７０８は、薬品管理システム１で管理する薬品を発注するために操作するものであり、使用者に発注権限が与えられている場合に表示される。
【００４９】
管理キー７０４が操作されると、画面表示制御部４９０は、業務メニュー７０３から管理メニュー７０４１に画面を遷移させる。管理メニュー７０４１は、登録キー７０４２、廃棄キー７０４３、使用状況キー７０４４、使用者登録キー７０４５を含んで表示される。
【００５０】
登録キー７０４２は、薬品管理システム１で管理する薬品を登録するために操作するものである。廃棄キー７０４３は、薬品管理システム１で管理する薬品を廃棄するために操作するものである。使用状況キー７０４４は、薬品管理システム１で管理する薬品の使用状況を確認するために操作するものである。使用者登録キー７０４５は、薬品管理システム１の使用者を新規に登録するために操作するものである。
【００５１】
このように、本実施形態に係る薬品管理システム１においては、使用者に応じて業務メニュー７０３の表示態様が異なる。そのため、例えば、薬品の発注を行える使用者の限定や、新たな使用者の登録を制限することができるため、使用者が行う業務に合わせた薬品管理システム１を提供することができる。
【００５２】
次に、本実施形態に係る薬品管理システム１において薬品を登録する処理の流れについて説明する。薬品管理システム１において薬品を登録する際には、管理メニュー７０４１に表示される登録キー７０４２を操作しなければならない。したがって、使用者の取扱権限が「１ＸＸＸＸ」である場合にのみ、薬品管理システム１で管理する薬品を登録することができる。
【００５３】
登録キー７０４２が操作されると、画面表示制御部４９０は、管理メニュー７０４１を、薬剤登録画面７０４６に遷移させる。使用者は、薬剤登録画面７０４６に表示される継続登録キー７０４７、もしくは、新規登録キー７０４８のいずれかを操作し、薬品管理システム１で管理する薬品を登録する。
【００５４】
図９は、本実施形態に係る薬品管理システム１において薬品を登録する処理の流れを示すフローチャートである。画面表示制御部４９０は、薬剤登録画面７０４６において、継続登録キー７０４７、もしくは、新規登録キー７０４８の操作に基づいて、薬品管理システム１において新規に薬品を登録するか否かを判定する（Ｓ９０１）。
【００５５】
使用者は、すでに、薬品管理システム１で管理されている薬品を登録する際には、継続登録キー７０４７を操作し、薬品管理システム１で管理する新規の薬品を登録する際には、新規登録キー７０４８を操作する。
【００５６】
画面表示制御部４９０は、新規登録キー７０４８が操作された場合には、薬品管理システム１において新規に薬品を登録する（Ｓ９０１／ＹＥＳ）と判定し、図１０に示す画面１０００を表示する。画面１０００には、新規に登録する薬品に関する情報の入力を使用者に促すためのダイアログ１００１が表示される。
【００５７】
ダイアログ１００１が操作されると、画面表示制御部４９０は、薬品情報入力画面１０１０を表示させる（Ｓ９０２）。薬品情報入力画面１０１０には、「薬品ＩＤ」、「薬品名」、「内容量」、「取扱情報」、「薬品の形状」、「メディコード」、「消費期限」、「包装入数」などを入力するための項目が表示される。このとき、「薬品ＩＤ」に関しては、薬品情報管理テーブル１１０に登録されていないものが表示される。
【００５８】
使用者は、「薬品名」、「内容量」、「取扱情報」、「薬品の形状」、「メディコード」、「消費期限」、「包装入数」などの項目、すなわち、「薬品ＩＤ」以外の項目について、新規に登録する薬品の情報を入力し、入力が完了したらＯＫキー１０１１を操作する。なお、「メディコード」については、定められていない薬品も存在するため、「メディコード」の入力は必須ではない。また、例えば、液体の薬品については、瓶に薬品が充填された状態で、薬品管理システム１で管理するため、「包装入数」の入力も必須ではない。
【００５９】
薬品情報制御部４２０は、ＯＫキー１０１１が操作されると、その時点における「薬品ＩＤ」、「薬品名」、「内容量」、「取扱情報」、「薬品の形状」、「メディコード」、「消費期限」、「包装入数」などの項目に入力されている値を、薬品情報管理テーブル１１０に書込み、薬品情報を登録する（Ｓ９０３）。薬品情報制御部４２０によって、薬品情報が登録されると、画面表示制御部４９０は、画面１２００を表示させる（Ｓ９０６）。
【００６０】
画面表示制御部４９０は、継続登録キー７０４７が操作された場合には、薬品管理システム１において新規に薬品を登録しない（Ｓ９０１／ＮＯ）と判定し、画面１１００を表示する（Ｓ９０４）。画面１１００には、薬品に添付されている薬品識別情報の読み取りを促すダイアログ１１０１が表示される。
【００６１】
使用者は、ダイアログ１１０１に従って、薬品に添付されている薬品識別情報をコードリーダ２によって認識させる。コードリーダ２が認識した薬品認識情報は、情報処理装置４に送信される。薬品情報制御部４２０は、受信した薬品認識情報に対応する「薬品ＩＤ」の薬品について薬品管理システム１における認証を行う（Ｓ９０５）。
【００６２】
Ｓ９０５の処理においては、「消費期限」を入力するための項目が薬品の認証後の画面１１１０に表示される。薬品情報制御部４２０は、Ｓ９０５で認証した薬品の「消費期限」が入力されると、認証された薬品の「薬品ＩＤ」に対応する薬品情報において、入力された「消費期限」になるように薬品情報を更新する。薬品情報が更新されると、画面表示制御部４９０は、画面１２００を表示させる（Ｓ９０６）。
【００６３】
このように、Ｓ９０４およびＳ９０５の処理は、同じパッケージおよび内容量である薬品を継続して登録するための処理である。したがって、同じパッケージおよび内容量である薬品について薬品管理システム１で管理を行う場合に、都度「薬品名」、「内容量」、「取扱情報」、「消費期限」、「メディコード」、「包装入数」などを使用者が入力する必要がないため、薬品の管理を簡素化することができる。
【００６４】
また、薬品によっては、特定の季節には使用しないものもある。このような薬品においては、廃棄処理を行った後、その薬品についての薬品情報を薬品情報管理テーブル１１０に残しておき、同じパッケージおよび内容量のものについて、薬品管理システム１での管理を再開する場合にＳ９０４およびＳ９０５の処理を実行するようにしてもよい。薬品の廃棄処理についての詳細は、後述する。
【００６５】
画面１２００には、薬品の重量の計量を促すダイアログ１２０１が表示される。使用者は、ダイアログ１２０１に従って電子秤３を用いて薬品の重量を計量する。電子秤３は、計量した薬品の重量の情報を情報処理装置４に送信する。画面表示制御部４９０は、画面１２００に受信した薬品の重量およびＯＫキー１２０３を表示させる。
【００６６】
このとき、電子秤３から受信した薬品の重量がダイアログ１２０１に表示されるように、ダイアログ１２０１の表示態様を遷移させる構成であってもよい。ＯＫキー１２０３が操作されると、薬品情報制御部４２０は、受信した薬品の重量の情報に基づいて、薬品情報管理テーブル１１０にその薬品の「総重量」の情報を書き込む（Ｓ９０７）。
【００６７】
薬品情報管理テーブル１１０に「総重量」の情報が書き込まれると、画面表示制御部４９０は、画面１２１０を表示させる（Ｓ９０８）。画面１２１０には、薬品を登録する処理が完了したことを通知するダイアログ１２１１およびＯＫキー１２１２が表示されており、ＯＫキー１２１２が操作されると、薬品情報制御部４２０は本処理を終了し、画面表示制御部４９０は、業務メニュー７０３を再度表示させる。
【００６８】
なお、画面表示制御部４９０は、業務メニュー７０３が表示されてから、所定の時間（例えば、３分）の間に、業務メニュー７０３に表示されているキーに対して何らかの操作が行われなかった場合には、スタート画面７０１を再度表示させるようにしてもよい。
【００６９】
次に、本実施形態に係る薬品管理システム１において使用者Ａが新規の使用者Ｂを登録する処理の流れについて説明する。本実施形態に係る薬品管理システム１においては、使用者情報管理テーブル１２０で管理される使用者Ａの取扱権限が「１ＸＸＸＸ（Ｘ：任意の値）」でなければ、薬品管理システム１の新規の使用者Ｂを登録することができない。
【００７０】
これは、使用者の取扱権限によって使用者識別情報の認証後に表示される業務メニュー７０３の表示態様が異なり、使用者の取扱権限が「１ＸＸＸＸ」である場合にのみ使用者登録キー７０４５が表示されるためである。以下、使用者Ａの取扱権限が「１ＸＸＸＸ」であると仮定して、説明を行う。
【００７１】
図１３は、本実施形態に係る薬品管理システム１において新規の使用者Ｂを登録する処理の流れを示すフローチャートである。業務メニュー７０３において、使用者登録キー７０４５が操作される（Ｓ１３０１）と、画面表示制御部４９０は、使用者登録画面１４００をＬＣＤ６０に表示させる（Ｓ１３０２）。
【００７２】
使用者Ａは、新たに薬品管理システム１に登録する使用者（以後、「使用者Ｂ」と記載する）の、取扱権限を設定する項目１４０１、および、発注権限を設定する項目１４０２に対して設定を入力する。図１４に示す例では、取扱権限に対して「管理許可」、「劇毒物キー」、「医薬用医薬品キー」、「第１類医薬品キー」、「第２類医薬品キー」・・・などの項目がある。
【００７３】
使用者Ａは、使用者Ｂに与える取扱権限に応じて項目１４０１に表示されたキーを操作する。そして、使用者情報制御部４３０は、項目１４０１に表示されたキーに対して行われた操作に基づいて、使用者情報を使用者情報管理テーブル１２０に登録する（Ｓ１３０３）。
【００７４】
例えば、取扱権限が許可される操作が項目１４０１に対して行われた場合、使用者情報制御部４３０は、「１」を設定し、取扱権限を許可しない操作が項目１４０１に対して行われた場合、使用者情報制御部４３０は、「０」を設定する。
【００７５】
すなわち、項目１４０１において、使用者Ｂの使用者情報について、「管理許可」、「劇毒物キー」、「医薬用医薬品キー」、「第１類医薬品キー」、「第２類医薬品キー」が操作され、「管理許可」、「劇毒物」、「医薬用医薬品」、「第１類医薬品」、「第２類医薬品」に対する取扱権限が許可された場合、使用者情報管理テーブル１２０における使用者Ｂの取扱権限は、「１１１１１」と登録される。
【００７６】
また、「第２類医薬品キー」のみが操作され、「第２類医薬品」に対する取扱権限のみが許可された場合、使用者情報制御部４３０は、使用者Ｂの取扱権限を「００００１」として登録する。なお、薬品管理システム１において管理する薬品の分類に応じて、項目１４０１のキーの表示態様を変化させてもよい。例えば、生物由来製薬についての取扱権限の設定を行うためのキーを表示させるようにしてもよい。
【００７７】
使用者Ｂの使用者情報が使用者情報管理テーブル１２０に登録されると、画面表示制御部４９０は、ＯＫキー１４０３を使用者登録画面１４００に表示させ、ＯＫキー１４０３が操作されると、使用者情報制御部４３０は、本処理を終了し、画面表示制御部４９０は、使用者登録が完了したことを通知する画面を表示させる（Ｓ１３０４）。
【００７８】
このように、本実施形態に係る薬品管理システム１においては、新規の使用者登録を行う権限を持つ使用者のみが使用者登録を実行可能としたため、特定の人物、例えば、薬品を取り扱う権限のある使用者にのみ使用を認めるといった業務運用を簡素に行うことができる。
【００７９】
次に、本実施形態に係る薬品管理システム１における薬品の出庫の処理の流れについて説明する。図１６は、本実施形態に係る薬品管理システム１における薬品の出庫の処理の流れを示すフローチャートである。
【００８０】
使用者は、図８で説明したように、薬品管理システム１において、使用者識別情報を認証させる。画面表示制御部４９０は、認証した使用者識別情報の「使用者ＩＤ」に対応する「取扱権限」に基づいて、図１５に示す業務メニュー１５００をＬＣＤ６０に表示させる。
【００８１】
業務メニュー１５００に含まれる出庫キー１５０１が操作されると、画面表示制御部４９０は、薬品に添付されている薬品識別情報の読み取りを促すダイアログ１５１１が含まれる画面１５１０をＬＣＤ６０に表示させる（Ｓ１６０１）。使用者は、ダイアログ１５１１に従って、薬品に添付されている薬品識別情報をコードリーダ２によって認識させる。
【００８２】
コードリーダ２が認識した薬品認識情報は、情報処理装置４に送信される。薬品情報制御部４２０は、受信した薬品認識情報に対応する「薬品ＩＤ」の薬品について薬品管理システム１における認証を行う（Ｓ１６０２）。
【００８３】
薬品の認証を行うと、画面表示制御部４９０は、薬品の重量の計量を促すダイアログ１５２１が含まれた画面１５２０をＬＣＤ６０に表示する（出庫時計量画面表示，Ｓ１６０３）。使用者は、ダイアログ１５２１に従って電子秤３を用いて薬品の重量を計量する。電子秤３は、計量した薬品の重量の情報を情報処理装置４に送信する（Ｓ１６０４）。
【００８４】
画面表示制御部４９０は、画面１５２０に受信した薬品の重量およびＯＫキー１５２２を表示させる。このとき、電子秤３から受信した薬品の重量がダイアログ１５２１に表示されるように、ダイアログ１５２１の表示態様を遷移させる構成であってもよい。
【００８５】
ＯＫキー１５２２が操作されると、薬品情報制御部４２０は、受信した薬品の重量の情報に基づいて、薬品使用状況管理テーブル１３０にその薬品の「出庫日時」、および、「出庫時重量」、「使用者ＩＤ」の情報を書き込み、薬品使用状況管理テーブル１３０を更新する（Ｓ１６０５）。薬品使用状況管理テーブル１３０が更新されると、画面表示制御部４９０は、出庫が完了したことを通知する画面１５３０をＬＣＤ６０に表示する。
【００８６】
なお、在庫・棚卸キー７０７が操作されると、薬品情報制御部４２０は、薬品使用状況管理テーブル１３０に基づいて薬品管理システム１で管理している薬品の一覧を、画面表示制御部４９０を介してＬＣＤ６０に表示させる。このとき、薬品情報制御部４２０は、（「総重量」−「入庫時重量」＝「残量」）として、それぞれの薬品について「薬品ＩＤ」、「残量」、「取扱情報」、「消費期限」などを薬品の一覧としてＬＣＤ６０に表示させる。
【００８７】
次に、本実施形態に係る薬品管理システム１における薬品の入庫の処理の流れについて説明する。図１８は、本実施形態に係る薬品管理システム１における薬品の入庫の処理の流れを示すフローチャートである。
【００８８】
使用者は、図８で説明したように、薬品管理システム１において、使用者識別情報を認証させる。画面表示制御部４９０は、認証した使用者識別情報の「使用者ＩＤ」に対応する「取扱権限」に基づいて、図１７に示す業務メニュー１７００をＬＣＤ６０に表示させる。
【００８９】
業務メニュー１７００に含まれる入庫キー１７０１が操作されると、画面表示制御部４９０は、薬品に添付されている薬品識別情報の読み取りを促すダイアログ１７１１が含まれる画面１７１０をＬＣＤ６０に表示させる（Ｓ１８０１）。
【００９０】
使用者は、ダイアログ１７１１に従って、薬品に添付されている薬品識別情報をコードリーダ２によって認識させる。コードリーダ２が認識した薬品認識情報は、情報処理装置４に送信される。薬品情報制御部４２０は、受信した薬品認識情報に対応する「薬品ＩＤ」の薬品について薬品管理システム１における認証を行う（Ｓ１８０２）。
【００９１】
薬品の認証を行うと、画面表示制御部４９０は、薬品の重量の計量を促すダイアログ１７２１が含まれた画面１７２０をＬＣＤ６０に表示する（入庫時計量画面表示，Ｓ１８０３）。使用者は、ダイアログ１７２１に従って電子秤３を用いて薬品の重量を計量する。電子秤３は、計量した薬品の重量の情報を情報処理装置４に送信する（Ｓ１８０４）。
【００９２】
画面表示制御部４９０は、画面１７２０に受信した薬品の重量およびＯＫキー１７２２を表示させる。このとき、電子秤３から受信した薬品の重量がダイアログ１７２１に表示されるように、ダイアログ１７２１の表示態様を遷移させる構成であってもよい。
【００９３】
ＯＫキー１７２２が操作されると、薬品情報制御部４２０は、受信した薬品の重量の情報に基づいて、薬品使用状況管理テーブル１３０にその薬品の「入庫日時」、および、「入庫時重量」、「使用者ＩＤ」の情報を書き込み、薬品使用状況管理テーブル１３０を更新する（Ｓ１８０５）。薬品使用状況管理テーブル１３０が更新されると、画面表示制御部４９０は、入庫が完了したことを通知する画面１７３０をＬＣＤ６０に表示する。
【００９４】
なお、Ｓ１８０２で認証した薬品ＩＤに該当する薬品の「入庫日時」および「消費期限」の情報に基づいて、例えば、「消費期限」が１８か月未満である場合、薬品情報制御部４２０は、当該薬品の廃棄を促すダイアログをＬＣＤ６０に表示させるようにしてもよい。また、薬品情報制御部４２０は、内容量が所定の量（例えば５％未満）になっている薬品について、当該薬品の廃棄を促すダイアログをＬＣＤ６０に表示させるようにしてもよい。
【００９５】
次に、本実施形態に係る薬品管理システム１において薬品の廃棄を行う処理の流れについて説明する。図２０は、本実施形態に係る薬品管理システム１において薬品の廃棄を行う処理の流れを示すフローチャートである。
【００９６】
使用者は、図８で説明したように、薬品管理システム１において、使用者識別情報を認証させる。画面表示制御部４９０は、認証した使用者識別情報の「使用者ＩＤ」に対応する「取扱権限」に基づいて、図１９に示す業務メニュー１９００をＬＣＤ６０に表示させる。
【００９７】
業務メニュー１９００の管理キー１９０１が操作されると、画面表示制御部４９０は、管理メニュー１９１０をＬＣＤ６０に表示する。管理メニュー１９１０に含まれる廃棄キー１９１１が操作される（Ｓ２００１）と、画面表示制御部４９０は、薬品に添付されている薬品識別情報の読み取りを促すダイアログ１９２１が含まれる画面１９２０をＬＣＤ６０に表示させる（Ｓ２００２）。
【００９８】
使用者は、ダイアログ１９２１に従って、薬品に添付されている薬品識別情報をコードリーダ２によって認識させる。コードリーダ２が認識した薬品認識情報は、情報処理装置４に送信される。薬品情報制御部４２０は、受信した薬品認識情報に対応する「薬品ＩＤ」の薬品について薬品管理システム１における認証を行う（Ｓ２００３）。
【００９９】
薬品の認証を行うと、画面表示制御部４９０は、薬品の重量の計量を促すダイアログ１９３１が含まれた画面１９３０をＬＣＤ６０に表示する（廃棄時計量画面表示，Ｓ２００４）。使用者は、ダイアログ１９３１に従って電子秤３を用いて薬品の重量を計量する。電子秤３は、計量した薬品の重量の情報を情報処理装置４に送信する（Ｓ２００５）。
【０１００】
画面表示制御部４９０は、画面１９３０に受信した薬品の重量およびＯＫキー１９３２を表示させる。このとき、電子秤３から受信した薬品の重量がダイアログ１９３１に表示されるように、ダイアログ１９３１の表示態様を遷移させる構成であってもよい。
【０１０１】
ＯＫキー１９３２が操作されると、薬品情報制御部４２０は、受信した薬品の重量の情報に基づいて、薬品使用状況管理テーブル１３０にその薬品の「廃棄日時」、および、「廃棄時重量」、「使用者ＩＤ」の情報を書き込み、薬品使用状況管理テーブル１３０を更新する（Ｓ２００６）。薬品使用状況管理テーブル１３０が更新されると、画面表示制御部４９０は、廃棄が完了したことを通知する画面１９４０をＬＣＤ６０に表示する。
【０１０２】
このように、本実施形態に係る薬品管理システム１においては、薬品を計量し、その重量および取扱い日時、その薬品の使用者についての履歴を記録する。そして、記録された情報に基づいて、薬品の使用状況に異常が発生していないかどうかを検知する。
【０１０３】
例えば、図２１のフローチャートに示すように、薬品の残量が所定の量以下になった場合に、アラート表示を行う構成であってもよい。図２１は、本実施形態に係る薬品の残量に基づいて、アラート表示を行う処理の流れを示すフローチャートである。
【０１０４】
異常検知部４６０は、薬品使用状況管理テーブル１３０に登録されている情報のうち、薬品の「内容量」、「総重量」、「入庫時重量」の情報に基づいて、例えば、薬品「ｘｘｘｘｘｘｘｘ」が（（「総重量」−「入庫時重量」／「内容量」）×１００）≦１０以下になった場合（Ｓ２１０１／ＹＥＳ）、薬品「ｘｘｘｘｘｘｘｘ」の残量が少なくなっていることを示すアラート表示７１０を画面表示制御部４９０によってＬＣＤ６０に表示させる。
【０１０５】
画面表示制御部４９０は、図２２に示すように、薬品管理システム１のスタート画面７０１にアラート表示７１０を表示させ、例えば、アラート表示された薬品の発注が行われる、もしくは、アラート表示された薬品について継続登録が行われる等した場合に、アラート表示７１０を消滅させる。
【０１０６】
なお、薬品識別部４２１は、アラート表示７１０がなされた薬品を薬品識別情報に基づいて識別し、薬品情報制御部４２０に、識別した薬品を発注するためのメールを生成させる。そして、通信制御部４１０を経由してメールを送信して、アラート表示された薬品の発注を行う構成であってもよい。このとき、薬品情報制御部４２０が生成した薬品識別部４２１が識別した薬品を発注するためのメールを、プリンタ５から出力する構成であってもよい。
【０１０７】
異常検知部４６０が行う他の異常検知態様としては、例えば、出庫時における薬品使用状況管理テーブル１３０の更新後、更新された薬品使用状況管理テーブル１３０の薬品について、２４時間経過しても入庫処理がなされていない場合、当該薬品の取扱いについて異常が発生していると検知する構成であってもよい。
【０１０８】
なお、「出庫時における薬品使用状況管理テーブル１３０の更新後、更新された薬品使用状況管理テーブル１３０の薬品について、２４時間経過しても入庫処理がなされていない場合に、薬品の取扱いについて異常が発生していると検知する」という条件は、使用者が情報処理装置４を操作して入力された項目に基づいて条件設定部４５０によって設定される。
【０１０９】
また、異常検知部４６０は、同じ薬品について、出庫時の使用者と入庫時の使用者が異なる場合、当該薬品の取扱いについて異常が発生していると検知する構成であってもよい。なお、「同じ薬品について、出庫時の使用者と入庫時の使用者が異なる場合、当該薬品の取扱いについて異常が発生していると検知する」という条件は、使用者が情報処理装置４を操作して入力された項目に基づいて条件設定部４５０によって設定される。いずれの場合においても、画面表示制御部４９０は、異常を検知した旨の通知をＬＣＤ６０に表示する。
【０１１０】
なお、本実施形態に係る薬品管理システム１においては、薬品の使用状況を知りたい使用者が、条件を設定して、設定された条件に基づいた薬品の使用状況の情報を入手することができる。
【０１１１】
このとき、使用者は、管理メニュー７０４１に表示されている使用状況キー７０４４を操作して表示される条件設定画面２３００（図２３）において、各種の条件を入力する。条件設定画面２３００においては、例えば、「薬品名」、「期間」、「消費量」、「薬品分類」などの条件を設定することができる。なお、その他に、「薬品の形状」、「残量」などを指定するための項目を条件設定画面２３００に設けることにより、「薬品の形状」、「残量」の条件を設定可能としてもよい。そして、条件設定部４５０は、条件設定画面２３００で入力された条件を設定して薬品の使用状況の情報を取得する。
【０１１２】
例えば、条件設定画面２３００において、「消費量」が、「内容量の８０％」、かつ、消費期限が「１８か月以内」の薬品を入手する条件が設定されたと仮定する。このとき、条件設定部４５０は、「消費量」が「内容量の８０％」であって、かつ、消費期限が「１８か月以内」である薬品の情報を記憶部４８０に記憶されているデータテーブルの情報に基づいて取得する。そして、画面表示制御部４９０は、取得された「消費量」が「内容量の８０％」であって、かつ、消費期限が「１８か月以内」である薬品の情報を、図２４に示すように、ＬＣＤ６０に表示させる。
【０１１３】
また、図２４に示す薬品の情報には、薬品名ごとに、チェックボックスが設けられている。このとき、例えば、薬品「ｘｘｘｘｘｘｘｘ」を指定するチェックボックス２４００がチェックされると、条件設定部４５０は、薬品「ｘｘｘｘｘｘｘｘ」の使用量と在庫量との関係を、薬品使用状況管理テーブル１３０に管理されている薬品「ｘｘｘｘｘｘｘｘ」の情報に基づいて月ごとに算出する。
【０１１４】
そして、画面表示制御部４９０は、薬品「ｘｘｘｘｘｘｘｘ」の使用量と在庫量との関係を示す関係図２５００を、図２５に示すように、ＬＣＤ６０に表示させる。なお、条件設定画面２３００に関係図２５００を表示させるためのソフトキーを設けることにより、関係図２５００をＬＣＤ６０に表示させる構成であってもよい。
【０１１５】
図２５においては、月ごとの在庫量を縦の棒グラフ（在庫量２５２１、２５２２，２５２３、２５２４）、月ごとの使用量を折れ線グラフ（使用量２５１０）で表示しているものの、他の表示態様としてもよい。このようにすることによって、ＬＣＤ６０に表示された関係図２５００を使用者が目視することにより、どの月に使用量と在庫量が増加しているかなど、薬品の使用状況を視覚的に判断することが可能となる。
【０１１６】
その他の実施形態．
図２６は、複数の薬品管理システム１Ａ、１Ｂ、１Ｃがサーバ６を介して接続されて構成される薬品管理システム７を示す図である。サーバ６は、図２で説明したように、情報処理装置４と同様のハードウェア構成であり、ＬＣＤ６０および操作部７０を含まない構成であってもよい。
【０１１７】
図２６に示すように、薬品管理システム１Ａは、それぞれ、コードリーダ２Ａ、電子秤３Ａ、情報処理装置４Ａがネットワークを介して構成される。また、薬品管理システム１Ａは、プリンタ５Ａを含んで構成されてもよい。なお、薬品管理システム１Ｂ、１Ｃも、薬品管理システム１Ａと同様に構成される。
【０１１８】
情報処理装置４Ａ、４Ｂ、４Ｃは、それぞれネットワークを介してサーバ６に接続される。実施の形態１においては、情報処理装置４において、薬品の管理を行うための各種の処理が実行されていたが、本実施形態においては、サーバ６が薬品の管理を行うための各種の処理を実行する。以後の説明において、実施の形態１と重複する箇所については同じ符号を付し、重複する説明を省略する。
【０１１９】
次に、本実施形態に係るサーバ６および情報処理装置４Ａ〜４Ｃの機能構成について、図２７を参照して説明する。図２７（ａ）に示すように、サーバ６は、通信制御部４１０、薬品情報制御部４２０、使用者情報制御部４３０、使用状況更新部４４０、条件設定部４５０、異常検知部４６０、識別情報生成部４７０、記憶部４８０を含む。また、図２７（ｂ）に示すように、情報処理装置４Ａ、４Ｂ、４Ｃは、それぞれ、通信制御部４１１、画面表示制御部４１２を含む。
【０１２０】
なお、通信制御部４１０、薬品情報制御部４２０、使用者情報制御部４３０、使用状況更新部４４０、条件設定部４５０、異常検知部４６０、識別情報生成部４７０、記憶部４８０、画面表示制御部４９０の説明について、重複する説明を省略し、実施の形態１と異なる箇所のみ説明を行う。また、情報処理装置４Ａ、４Ｂ、４Ｃのそれぞれの通信制御部４１１は通信制御部４１０と、それぞれの画面表示制御部４１２は画面表示制御部４９０と同様の処理を行うため、重複する説明を省略する。
【０１２１】
サーバ６の記憶部４８０は、保管場所管理テーブル１４０を含む。保管場所管理テーブル１４０は、図２８に示すように、情報処理装置４Ａ、４Ｂ、４Ｃに、それぞれ割り当てられている「管理端末ＩＤ」、「薬品ＩＤ」を含んで構成される。また、情報処理装置４Ａ、４Ｂ、４Ｃによって、薬品の分類ごとに薬品を管理するために、「取扱情報」を含む構成であってもよい。
【０１２２】
すなわち、保管場所管理テーブル１４０に「取扱情報」が含まれる場合には、例えば、情報処理装置４Ａでは、第２類、第３類の医薬品を管理し、情報処理装置４Ｃでは劇物や第１類の医薬品を管理することができる構成となる。
【０１２３】
また、本実施形態では、図２９（ａ）に示すように、情報処理装置４Ａから薬品の発注を行う場合に、情報処理装置４Ａの使用者Ｄが発注権限を持たない場合には、発注権限を持つ使用者Ｅに、情報処理装置４Ｃを操作してもらうことで承認を行い、薬品の発注をすることができる。
【０１２４】
図２９に示す例では、発注権限を持たない使用者Ｄが情報処理装置４Ａから発注を使用としている際に、サーバ６に接続している情報処理装置４Ｂ、４Ｃのいずれかに、発注権限を持つ使用者（ここでは、使用者Ｅが発注権限を持っている）の承認を得て発注を行なえるようにする。
【０１２５】
具体的には、図２９（ｂ）のシーケンス図に示すように、情報処理装置４Ａにおいて、使用者Ｄが識別されている際に、使用者Ｄが薬品の発注を行なうための操作（発注操作、Ｓ２９０１）を実行すると、薬品情報制御部４２０は、発注権限を持つ使用者Ｅが識別されている情報処理装置４Ｃに、情報処理装置４Ａから使用者Ｄが薬品の発注を行うことを承認するための画面（発注画面）を表示させる情報（発注画面表示情報送信、Ｓ２９０２）を送信する。
【０１２６】
情報処理装置４Ｃの画面表示制御部４１２は、発注画面表示情報２９０２を受信すると、ＬＣＤ６０に発注画面を表示させる。そして、情報処理装置４ＣのＬＣＤ６０に表示された発注画面に対して薬品の発注を行うことを承認する操作（承認操作、Ｓ２９０３）が実行されると、薬品情報制御部４２０は、情報処理装置４Ａに、情報処理装置４Ａから使用者Ｄが薬品の発注を行うことが承認されたことを示す画面（承認画面）を表示させる情報（承認画面表示情報送信、Ｓ２９０４）を送信する。
【０１２７】
また、薬品情報制御部４２０は、承認操作２９０３が実行されると、発注操作２９０１において使用者Ｄが指定した薬品の識別情報を含んだ電子メールを作成し、作成した電子メールをネットワークを介して薬品卸業者に送信し、本処理を終了する。
【０１２８】
情報処理装置４Ａの画面表示制御部４１２は、承認画面表示情報２９０４を受信すると、情報処理装置４ＡのＬＣＤ６０に承認画面を表示させる。承認画面をクリックすると、情報処理装置４Ａの画面表示制御部４１２は、業務メニュー７０３を表示させる。
【０１２９】
以上説明したように、本実施形態では、発注権限のない使用者が識別されている情報処理装置からの発注要求に対して、発注権限のある使用者が識別されている他の情報処理装置から発注要求を承認することにより、薬品の発注を実行することができる。したがって、発注権限のない使用者が薬品の発注をできないようにしているため、使用者の権限に応じた薬品の管理を簡易化することができる。
【符号の説明】
【０１３０】
１  薬品管理システム
２  コードリーダ
３  電子秤
４  情報処理装置
５  プリンタ
１１０  薬品情報管理テーブル
１２０  使用者情報管理テーブル
１３０  薬品使用状況管理テーブル
４１０  通信制御部
４２０  薬品情報制御部
４３０  使用者情報制御部
４４０  使用状況更新部
４５０  条件設定部
４６０  異常検知部
４７０  識別情報生成部
４８０  記憶部
４９０  画面表示制御部
【先行技術文献】
【特許文献】
【０１３１】
【特許文献１】特開２０００−１９８５０７号公報
【図１】
2019087153.tif 000003
【図２】
2019087153.tif 000004
【図３】
2019087153.tif 000005
【図４】
2019087153.tif 000006
【図５】
2019087153.tif 000007
【図６】
2019087153.tif 000008
【図７】
2019087153.tif 000009
【図８】
2019087153.tif 000010
【図９】
2019087153.tif 000011
【図１０】
2019087153.tif 000012
【図１１】
2019087153.tif 000013
【図１２】
2019087153.tif 000014
【図１３】
2019087153.tif 000015
【図１４】
2019087153.tif 000016
【図１５】
2019087153.tif 000017
【図１６】
2019087153.tif 000018
【図１７】
2019087153.tif 000019
【図１８】
2019087153.tif 000020
【図１９】
2019087153.tif 000021
【図２０】
2019087153.tif 000022
【図２１】
2019087153.tif 000023
【図２２】
2019087153.tif 000024
【図２３】
2019087153.tif 000025
【図２４】
2019087153.tif 000026
【図２５】
2019087153.tif 000027
【図２６】
2019087153.tif 000028
【図２７】
2019087153.tif 000029
【図２８】
2019087153.tif 000030
【図２９】
2019087153.tif 000031